(57)【要約】【課題】効率よく分かり易い報告書が作成できる写真付き報告書の作成プログラムを提供する。【解決手段】図面により特定される位置とその位置における状況が撮影された写真とが掲載された写真付き報告書を作成させるためのプログラムである。  そのためにコンピュータを、図面情報を取り込ませる図面取込み手段（Ｓ１）と、写真データを取り込む写真取込み手段（Ｓ２）と、図面情報と写真データとを並べて表示させる画面表示手段と、画面表示手段に表示された図面情報上で写真データの位置を指定させる写真位置指定手段（Ｓ３）と、写真位置指定手段で位置が指定された写真データに識別符号を付与する符号付与手段（Ｓ９，Ｓ１０）と、図面情報上に識別符号を表示させた出力を行わせる図面出力手段（Ｓ１１）と、識別符号と並べて写真データを出力させる写真出力手段（Ｓ１３）として機能させる。【選択図】図１
2018180761.tif 000002
【特許請求の範囲】
【請求項１】
図面により特定される位置とその位置における状況が撮影された写真とが掲載された写真付き報告書を作成させるためにコンピュータを、
図面情報を取り込ませる図面取込み手段と、
写真データを取り込む写真取込み手段と、
前記図面情報と前記写真データとを並べて表示させる画面表示手段と、
前記画面表示手段に表示された前記図面情報上で前記写真データの位置を指定させる写真位置指定手段と、
前記写真位置指定手段で位置が指定された写真データに識別符号を付与する符号付与手段と、
前記図面情報上に前記識別符号を表示させた出力を行わせる図面出力手段と、
前記識別符号と並べて前記写真データを出力させる写真出力手段と、
して機能させるための写真付き報告書の作成プログラム。
【請求項２】
前記写真データに分類情報を付与させる分類付与手段を備え、前記写真出力手段では、前記識別符号及び前記分類情報と前記写真データとを並べて出力させることを特徴とする請求項１に記載の写真付き報告書の作成プログラム。
【請求項３】
前記分類情報ごとにグループ化させるグループ化手段と、
前記分類情報ごとの付加情報を入力させる付加入力手段と、
前記分類情報に関連付けて前記付加情報及び前記識別符号を一覧表形式で出力させる一覧表出力手段と、
を備えたことを特徴とする請求項２に記載の写真付き報告書の作成プログラム。
【請求項４】
前記写真位置指定手段で位置が指定された写真データは、前記画面表示手段に指定済みの印が付されて表示されることを特徴とする請求項１乃至３のいずれか１項に記載の写真付き報告書の作成プログラム。
【発明の詳細な説明】
【技術分野】
【０００１】
本発明は、図面により特定される位置とその位置における状況が撮影された写真とが掲載された写真付き報告書を作成させるための写真付き報告書の作成プログラムに関するものである。
【背景技術】
【０００２】
ビルやマンションなどの建物や、橋梁やトンネルなどの構造物は、経年劣化などが生じるために、日々又は定期的に点検、劣化診断などのメンテナンスが行われる。
【０００３】
特許文献１には、カメラ付携帯電話などの端末機を使用して、建物等の点検時の状況を撮影して、その撮影された画像データをデータベースなどに保存して管理することが記載されている。
【０００４】
このようにカメラ付携帯電話で簡単に撮影できるようになると、画像情報を多く取得できるが、データベースに保存された画像データを報告書などの形式で有効に利用するためには、整理や加工の手間がかかる。
【０００５】
特許文献１には、画像情報を各種のサービスに適合した情報に合理的に加工して、短時間でデータベースに取り込むことができる技術が開示されている。さらには、点検、診断、メンテナンスの客観的な証拠データとして保存された画像情報を利用して、報告書などが作成できることが記載されている。
【先行技術文献】
【特許文献】
【０００６】
【特許文献１】特開２００７−４１９９７号公報
【発明の概要】
【発明が解決しようとする課題】
【０００７】
しかしながら、特許文献１には書類作成手段という記載はあるが、具体的にどのような処理によってどういった報告書が作成されるのかの開示がない。電子データが報告書の作成に利用できることは当然のことながら、多量の画像データからいかにして効率よく分かり易い報告書が作成できるかが求められる。
【０００８】
そこで、本発明は、効率よく分かり易い報告書が作成できる写真付き報告書の作成プログラムを提供することを目的としている。
【課題を解決するための手段】
【０００９】
前記目的を達成するために、本発明の写真付き報告書の作成プログラムは、図面により特定される位置とその位置における状況が撮影された写真とが掲載された写真付き報告書を作成させるためにコンピュータを、図面情報を取り込ませる図面取込み手段と、写真データを取り込む写真取込み手段と、前記図面情報と前記写真データとを並べて表示させる画面表示手段と、前記画面表示手段に表示された前記図面情報上で前記写真データの位置を指定させる写真位置指定手段と、前記写真位置指定手段で位置が指定された写真データに識別符号を付与する符号付与手段と、前記図面情報上に前記識別符号を表示させた出力を行わせる図面出力手段と、前記識別符号と並べて前記写真データを出力させる写真出力手段と、して機能させる。
【００１０】
ここで、前記写真データに分類情報を付与させる分類付与手段を備え、前記写真出力手段では、前記識別符号及び前記分類情報と前記写真データとを並べて出力させる構成とすることができる。
【００１１】
また、前記分類情報ごとにグループ化させるグループ化手段と、前記分類情報ごとの付加情報を入力させる付加入力手段と、前記分類情報に関連付けて前記付加情報及び前記識別符号を一覧表形式で出力させる一覧表出力手段と、を備えた構成とすることができる。
【００１２】
さらに、前記写真位置指定手段で位置が指定された写真データは、前記画面表示手段に指定済みの印が付されて表示される構成とすることができる。
【発明の効果】
【００１３】
このように構成された本発明の写真付き報告書の作成プログラムは、図面情報と写真データを取り込み、画面表示手段に表示された図面情報上で写真データの位置を指定させる写真位置指定手段を備えている。
【００１４】
また、位置が指定された写真データには識別符号が付与され、図面情報上に識別符号を有する出力がされる。さらに、写真出力手段によって、識別符号と並べて写真データを出力させる。
【００１５】
このため、写真データの図面情報上での位置表示がされた写真位置図などの図面と、その図面上で位置が明示された写真をまとめた写真台帳などをまとめた分かり易い報告書を、効率よく作成することができる。
【００１６】
また、写真データに分類情報を付与させる分類付与手段を備えることで、写真データと併せて分類情報も出力させることができ、より分かり易い報告書にできる。
【００１７】
さらに、分類情報ごとにグループ化させるグループ化手段と、分類情報ごとの付加情報を入力させる付加入力手段とを備えていれば、複数の写真データをまとめて、関連するコメントや劣化度などの評価を見やすく掲載することができる。
【００１８】
また、写真位置指定手段で位置が指定された写真データに、画面表示手段で指定済みの印が付されて表示されるようにすることで、不要な写真が見つけやすくなり、写真データの整理を効率的に行うことができるようになる。
【図面の簡単な説明】
【００１９】
【図１】本発明の実施の形態の写真付き報告書の作成プログラムの処理の流れを示したフローチャートである。
【図２】平面図が取り込まれた取込表示画面の一例を示した図である。
【図３】写真データが取り込まれた取込表示画面の一例を示した図である。
【図４】分類情報及びコメントを入力するリスト編集画面の一例を示した図である。
【図５】分類情報ごとにグループ化させたグループ化画面の一例を示した図である。
【図６】劣化度を入力させる判定入力画面の一例を示した図である。
【図７】写真の加工を行う写真加工画面の一例を示した図である。
【図８】小分類のグループでの編集作業を行うグループ別編集画面の一例を示した図である。
【図９】報告書となる写真位置図の一例を示した図である。
【図１０】報告書となる写真台帳の一例を示した図である。
【図１１】報告書となる劣化一覧表の一例を示した図である。
【発明を実施するための形態】
【００２０】
以下、本発明の実施の形態について図面を参照して説明する。図１は、本実施の形態の写真付き報告書の作成プログラムの処理の流れを示したフローチャートである。
【００２１】
本実施の形態の写真付き報告書の作成プログラムをコンピュータに実行させる前に、対象となる建物や構造物（以下、「建物」として説明する。）の調査が行われる。この調査を行うためには、点検や劣化診断などを行う建物の図面情報が用意される。
【００２２】
図面情報には、建物の平面図、断面図、立面図、間取り図などが該当する。そして、用意された図面情報に基づいて、写真撮影を行うルートを検討し、実際に建物の状況をカメラで撮影する。
【００２３】
この撮影に使用されるカメラは、デジタルの写真データ（画像データ）が得られるデジタルカメラであればよい。カメラが防水仕様であれば、雨の日や水濡れが発生する場所でも、調査を実施することができる。
【００２４】
図面情報は、調査時に必ずしも携帯する必要はない。図面情報を携帯した場合は、調査ルート（撮影ルート）や、調査中に気が付いた点をメモしておくことができる。調査において取得しておくべき必須の情報は、調査対象となる建物の状況を示す複数の写真データのみである。
【００２５】
そして、図面情報と写真データとが揃った時点で、コンピュータにインストールされた写真付き報告書の作成プログラムを起動させる。以下で説明する各手段は、コンピュータを機能させる命令によって構成される。
【００２６】
まず、図１に示すように、ステップＳ１では図面取込み手段により図面情報を取り込む。ここでは図２に例示したように、図面情報として平面図Ｇを取り込ませる。例えば紙に印刷された平面図Ｇをスキャナで読み込み、作成プログラムに取り込ませて、画面表示手段によって実行された取込表示画面１に表示させる。
【００２７】
続いてステップＳ２に示すように、調査現場で撮影してきた複数枚の写真データを、写真取込み手段により取り込む。なお、ステップＳ１とステップＳ２は、順序が逆であってもよい。取り込まれた写真データには、自動的に仮の識別符号が付与される。
【００２８】
図３に示すように、取込表示画面１には、平面図Ｇと並んで取り込まれた写真データ（例えばＰ１-Ｐ４）が表示される。写真データは、スクロールバー１３を移動させることで、順次表示させることができる。
【００２９】
取込表示画面１では、平面図Ｇ上で写真データの位置を指定させる（ステップＳ３）。例えば取込表示画面１上で写真データＰ１を選択し、ポインタ１１を写真データＰ１が撮影された位置に移動させてマウスをクリックすることで、位置を指定することができる。
【００３０】
調査前に平面図Ｇを見て撮影ルートを検討していれば、撮影中のメモなどが無くても、写真データＰ１の位置を平面図Ｇ上で簡単に特定することができる。そして、位置情報が紐付けされた写真データＰ１には、写真の例えば左上隅に三角形の指定マーク１２が指定済みの印として表示される。
【００３１】
この指定マーク１２が表示されることで、位置が指定された写真データか否かを一目で判断することができる。例えば写真データＰ２のように建物の全体を撮影した場合は、位置は指定できなくても報告書に掲載することがあるので、そのまま残しておく。
【００３２】
また、同じ場所で何枚も同様の写真を撮影した場合は、状況をよく表している写真データＰ１，Ｐ３，Ｐ４のみを位置指定し、それ以外の指定マーク１２が表示されていない写真データは、効率的に削除していくことができる。
【００３３】
ステップＳ３で写真データの位置を指定し、位置が指定された写真データに写真番号（写真Ｎｏ．）などの識別符号を符号付与手段の自動生成によって付与（ステップＳ９）することで、図９に示すような写真位置図７を出力することができるようになる（ステップＳ１１）。
【００３４】
写真位置図７は、図面出力手段によって出力される。写真位置図７には、平面図７１が出力されるとともに、その平面図７１上に、写真番号付きの位置表示７２，・・・が出力される。この位置表示７２，・・・の出力の際には、写真データの指定した位置と識別符号との間が引き出し線でそれぞれ自動的に結ばれる。この写真位置図７の出力は、コンピュータのディスプレイにも表示できるが、プリンタに指示命令を出して紙に印刷して出力させることもできる。
【００３５】
続いてステップＳ４では、分類付与手段を実行させて分類情報とコメントの入力を行う。例えば図４に示すように、リスト編集画面２において写真データＰ１−Ｐ４ごとに分類情報を付与することができる。
【００３６】
分類情報の構成は任意に設定することができるが、例えば大分類２１、中分類２２、小分類（２３）に分けることができる。また、小分類には、具体的な「項目２３」を当てることができる。さらに、写真データＰ１−Ｐ４ごとに、付加情報として個別コメント２４を入力することができる。
【００３７】
また、ステップＳ４で分類情報及びコメントが付与されると、識別符号を符号付与手段の自動生成によって付与（ステップＳ１０）することで、図１０に示すような写真台帳８を出力することができるようになる（ステップＳ１３）。
【００３８】
写真台帳８は、写真出力手段によって出力される。写真台帳８には、写真データに基づいた写真８１，・・・が例えば左側に１列に並んで出力されるとともに、各写真８１の横には、写真番号８２、各分類情報８３Ａ−８３Ｃ、個別コメント８４などが並んで出力される。この写真台帳８の出力は、コンピュータのディスプレイにも表示できるが、プリンタに指示命令を出して紙に印刷して出力させることもできる。
【００３９】
さらにステップＳ５では、例えば図５に示すように、グループ化手段を実行させたグループ化画面３において、分類情報に基づいてソートとグループ化を行うことができる。分類情報ごとにグループ化されたグループ３１Ａ−３１Ｄには、複数の写真データが格納される。詳細には、各グループ３１Ａ−３１Ｄに格納される写真番号（写真Ｎｏ．）は、格納写真欄３２に表示される。
【００４０】
また、グループ化された例えばグループ３１Ｄを選択すると、付加入力手段が機能して付加情報としてのグループコメント３３を入力することができるようになる（ステップＳ６）。グループコメント３３は、グループ３１Ｄに格納された写真データ（写真Ｎｏ．９，１０）に共通する記載にすることができる。
【００４１】
さらに、ステップＳ７では、例えば図６に示すように、判定入力画面４において、付加入力手段を機能させて、付加情報となる劣化度の判定結果などを入力することができる。
【００４２】
詳細には判定入力画面４に表示されたグループ４２Ａ−４２Ｃ，・・・に対して、劣化度入力欄４１で例えば３段階の判定結果を入力することができる。要するに、選択部４１１に表示されたＡ，Ｂ，Ｃの判定のいずれかを選んで、グループ４２Ｃの判定結果として付与する。
【００４３】
さらには、図７に示すように、写真加工画面５では、選択写真５２の写真データＰ５の加工を行うことができる。写真加工画面５の左端には、加工ツール５１が表示され、その加工ツール５１を使用して写真データＰ５に着目箇所５３の囲い込みや矢印を描画したり、切り抜き加工や表示の縦横回転をしたりすることができる。
【００４４】
また、図８に示すように、グループ別編集画面６では、各グループに含まれる格納写真６４の写真アイコン６４１，・・・や個別コメント６３，・・・を見ながら、付加入力手段によって付加情報となる統括コメント６２の入力を行うことができる。
【００４５】
例えば「金属屋根」という項目分類６１が付与されたグループに属する写真データ（写真Ｎｏ．１，２，３，４，５）に対して、それらを代表する統括コメント６２を編集して記入するグループ化編集作業を行うことができる。
【００４６】
そして、ステップＳ８では、最終的に残った（採用された）写真データに対して、符号付与手段によって自動で識別符号を付与させることができる。上記で説明したように、グループ化や統括したコメントの入力段階までに、写真データに仮番号を付与させておくことができるが、それらの作業中に不要になって削除された写真データや追加された写真データがある場合は、改めて連番の写真番号を自動的に付与することができる。
【００４７】
このステップＳ８で付与された最終的な写真番号（識別符号）は、写真位置図７や写真台帳８に反映させる（ステップＳ９，Ｓ１０）。また、ステップＳ８で最終的な写真番号が付与されると、図１１に示すような劣化一覧表９を出力することができるようになる（ステップＳ１２）。
【００４８】
劣化一覧表９は、一覧表出力手段によって出力される。劣化一覧表９には、分類情報９１Ａ，９１Ｂ、付加情報となるグループコメント９２、各グループの格納写真９３、付加情報となる劣化度判定９４が出力される。
【００４９】
また、修繕案などの第１参考情報９５、その修繕にかかる費用などの第２参考情報９６なども併せて出力させることができる。この劣化一覧表９の出力は、コンピュータのディスプレイにも表示できるが、プリンタに指示命令を出して紙に印刷して出力させることもできる。
【００５０】
次に、本実施の形態の写真付き報告書の作成プログラムの作用について説明する。
【００５１】
このように構成された本実施の形態の写真付き報告書の作成プログラムは、図面情報となる平面図Ｇと写真データＰ１−Ｐ４を取り込み、取込表示画面１に表示された平面図Ｇ上で写真データＰ１−Ｐ４の位置を指定させる写真位置指定手段であるポインタ１１を表示させる。
【００５２】
また、位置が指定された写真データＰ１−Ｐ４には写真番号８２（写真Ｎｏ．）が付与され、平面図Ｇ上に写真番号８２が付与された位置表示７２が出力される（図９参照）。
【００５３】
さらに、写真出力手段によって出力される写真台帳８（図１０参照）には、写真番号８２と並べて写真８１を出力させる。また、写真８１と併せて分類情報８３Ａ−８３Ｃ及び個別コメント８４も出力される。
【００５４】
このため、写真データの平面図Ｇ上での位置表示がされた写真位置図７と、その図面上で位置が明示された写真８１をまとめた写真台帳８を備えた分かり易い報告書を、効率よく作成することができる。
【００５５】
例えば、一旦、写真台帳８に載せることにした写真データを後から削除したり、後から新たな写真データを追加したりしても、写真位置図７や写真台帳８などの報告書に直ぐに反映させることができる。
【００５６】
また、写真位置指定手段で位置が指定された写真データに、取込表示画面１で指定マーク１２が付されて表示されていれば、位置が指定されていない不要な写真が見つけやすくなり、写真データの整理を効率的に行うことができるようになる。
【００５７】
そして、写真データに分類情報を付与させる分類付与手段を備えているので、分類情報が掲載されたより分かり易い報告書にできる。この分類情報は、最初から簡単に設定できるものではなく、概略の報告書が仕上がった後に全体バランスを見ながら分類表現の修正や分類区分のやり直しが行われたりする。そのような場合でも、簡単に分類作業をし直して、写真台帳８や劣化一覧表９に反映させることができる。
【００５８】
さらに、分類情報ごとにグループ化させるグループ化手段と、分類情報ごとの付加情報を入力させる付加入力手段とを備えていれば、複数の写真データをまとめて、関連するグループコメント９２や劣化度判定９４などとして掲載することができる。
【００５９】
例えば、写真の枚数が多くなったとしても、グループ化できるものはまとめてコメントも総括できるようになっていれば、写真による裏付けがしっかりとしている上に、見やすい劣化一覧表９で理解しやすい報告書にすることができる。
【００６０】
以上、図面を参照して、本発明の実施の形態を詳述してきたが、具体的な構成は、この実施の形態に限らず、本発明の要旨を逸脱しない程度の設計的変更は、本発明に含まれる。
【００６１】
例えば、前記実施の形態では、写真データの位置指定と分類情報の付与とを別に行ったが、これに限定されるものではない。読み込まれた図面情報に対して、例えば取込表示画面１上の領域を特定するなどして内部、外部、階数、部屋などの分類情報を予め付与しておくことで、写真データの位置指定と分類情報の付与とを同時に行わせることができる。
【００６２】
また、前記実施の形態では、平面図Ｇを図面情報としてスキャナで読み込む場合について説明したが、これに限定されるものではない。例えば２次元や３次元の座標データを有する図面情報を取り込ませることもできる。この場合は、座標データから内部、外部、階数などの分類情報を判断させて自動的に付与させることができる。また、柱や梁といった部位の情報も取り込ませることが可能になる。
【００６３】
さらに、前記実施の形態では、分類情報を別途入力によって付与したが、これに限定されるものではない。例えば調査の撮影を行うカメラがＧＰＳ機能を備えている場合は、写真データに付属された位置情報から、内部、外部などの分類情報を自動的に付与させることができる。
【００６４】
また、内部、外部などの分類情報であれば、写真データの明るさやフラッシュの使用の有無から、推定分類として予め付与させておくこともできる。さらに、写真データと共に音声メモが付与できるカメラを使用した場合は、分類情報を音声認識によって付与させることができる。
【符号の説明】
【００６５】
Ｇ              平面図（図面情報）
Ｐ１−Ｐ４      写真データ
１              取込表示画面（画面表示手段）
１１            ポインタ（位置指定）
１２            指定マーク（指定済みの印）
２              リスト編集画面（分類付与手段）
２１            大分類（分類情報）
２２            中分類（分類情報）
２３            項目（分類情報）
３              グループ化画面（グループ化手段）
３３            グループコメント（付加情報）
４              判定入力画面（付加入力手段）
４１            劣化度入力欄（付加情報）
６              グループ別編集画面（付加入力手段）
６２            統括コメント（付加情報）
７              写真位置図（図面出力手段）
７１            平面図（図面情報）
７２            （識別符号付き）位置表示
８              写真台帳（写真出力手段）
８１            写真
８２            写真番号（識別符号）
８３Ａ−８３Ｃ  分類情報
９              劣化一覧表（一覧表出力手段）
９１Ａ，９１Ｂ  分類情報
９２            グループコメント（付加情報）
９３            格納写真（識別符号）
９４            劣化度判定（付加情報）
【図１】
2018180761.tif 000003
【図２】
2018180761.tif 000004
【図３】
2018180761.tif 000005
【図４】
2018180761.tif 000006
【図５】
2018180761.tif 000007
【図６】
2018180761.tif 000008
【図７】
2018180761.tif 000009
【図８】
2018180761.tif 000010
【図９】
2018180761.tif 000011
【図１０】
2018180761.tif 000012
【図１１】
2018180761.tif 000013